(57)【要約】【課題】ドアおよび開口枠の取付けや、それ自体の取り扱いが容易となる等の効果を発揮するドア取付け金具を提供する。【解決手段】第一プレート３１と第二プレート３２の先端部に結合され、開口枠１０に取付けられる枠側ベース部材４１と、ドア２０端部に取付けられるドア側ベース部材４２とを備え、開口枠１０にドア２０を回動自在に取付けると共に、開口枠１０を躯体７０に取付ける金具であって、枠側ベース部材４１に、開口枠１０を貫通し、内周面に雌ネジを有する雌ネジ部４１ｂが設けられ、雌ネジ部４１ｂには、その一方端部に六角孔６０ｂを有し外周面に雄ネジを有する雄ネジ部材６０が螺合され、雄ネジ部材６０の躯体７０側には、躯体７０に当接し、雄ネジ部材６０の他方端部と回転自在かつ抜け出し不能に組付く受け部材６１が設けられている。【選択図】　　図３
2004044111.tif 000002
【特許請求の範囲】
【請求項１】
後端部同士がヒンジ結合された第一プレートと第二プレートの先端部にそれぞれ結合された、開口枠に取付けられる枠側ベース部材と、ドア端部に取付けられるドア側ベース部材とを備え、開口枠にドアを回動自在に取付けると共に、前記開口枠を柱等の躯体に取付ける金具であって、
前記枠側ベース部材に、開口枠を貫通し、内周面に雌ネジを有する雌ネジ部が設けられ、
該雌ネジ部には、開口枠側である一方端部にレンチ孔を有するとともに外周面に雄ネジを有する雄ネジ部材が螺合され、
該雄ネジ部材の躯体側には、躯体に当接し、雄ネジ部材の他方端部と回転自在かつ抜け出し不能に組付く受け部材が設けられ、
雄ネジ部材と受け部材の中央部には、ネジ孔が形成されていることを特徴とするドア取付け金具。
【請求項２】
後端部同士がヒンジ結合された第一プレートと第二プレートの先端部にそれぞれ結合された、開口枠に取付けられる枠側ベース部材と、ドア端部に取付けられるドア側ベース部材とを備え、開口枠にドアを回動自在に取付けると共に、前記開口枠を柱等の躯体に取付ける金具であって、
前記第二プレートは、ドア側ベース部材に対して分離可能であり、前記ドア側ベース部材は、ドアの厚み方向に左右対称の形状で、ドアから突出することなくドア端部に埋設され、しかもドア側ベース部材にはドアの厚み方向に貫通し、第二プレートの先端部をドアの表側からも裏側からも差込み案内可能なスリットが形成されるとともに、該スリットに案内された第二プレートを係止するロック機構が設けられ、
前記枠側ベース部材に、開口枠を貫通し、内周面に雌ネジを有する雌ネジ部が設けられ、
該雌ネジ部には、開口枠側である一方端部にレンチ孔を有するとともに外周面に雄ネジを有する雄ネジ部材が螺合され、
該雄ネジ部材の躯体側には、躯体に当接し、雄ネジ部材の他方端部と回転自在かつ抜け出し不能に組付く受け部材が設けられ、
雄ネジ部材と受け部材の中央部には、ネジ孔が形成されていることを特徴とするドア取付け金具。
【請求項３】
前記第二プレートの後端部は、第一プレートの後端部に対して調整螺子により上下方向に移動自在に結合され、しかも第一プレートの先端部は、枠側ベース部材に形成された第一プレートの板厚よりも幅広の長孔に挿入され調整螺子により長孔内で第一プレートの厚み方向に移動自在に結合されるとともに、第一プレートの先端部は、枠側ベース部材に対して調整螺子又は調整カムにより接離調整自在に結合されていることを特徴とする請求項２に記載のドア取付け金具。
【請求項４】
前記第二プレートの先端部中央には孔が設けられ、前記ロック機構は、第二プレートに当接する間は収縮するが前記孔の位置に達すると伸長して孔を係止する弾性突部からなり、伸長した弾性突部を収縮させて係止を解除可能にしたことを特徴とする請求項２または３に記載のドア取付け金具。
【発明の詳細な説明】
【０００１】
【発明の属する技術分野】
本発明は、ドアを開口枠に回動自在に取付けることができると共に、その開口枠を柱等の躯体に取付けることのできるドア取付け金具に関するものである。
【０００２】
【従来の技術】
一般の建物においては、図１および図１０に示すように、ドア２０は蝶番Ｃによって開口枠１０に回動自在に取付けられ、また、この開口枠１０は柱等の躯体７０に別の固定金具Ｋで取付けられている。従って、ドア２０は、実質的に開口枠１０によって支持されている。
【０００３】
通常、ドア２０の重量は中空のいわゆるフラッシュ構造でも１５ｋｇ程度であり、無垢の木材を使用した高級品では４０ｋｇ程度もある。従って、毎日の開閉や、建物の歪み、あるいはドア２０や開口枠１０を取付けるネジの緩み等によって、ドア２０と開口枠１０あるいは開口枠１０と躯体７０との間の間隔が変化し、ドア取付け後、数年程度でドア２０が開口枠１０に接触する等の不具合が発生し易い。
【０００４】
その原因が単なるネジの緩みであれば、そのネジを締め直して対処することができるが、それ以外の蝶番Ｃや固定金具Ｋ自体による場合には修正が困難である。かつては、ドア２０の接触する部分を鉋等で削り落としたり、蝶番Ｃの取付け位置を微妙にずらすなどの面倒な調整に頼っていた。
【０００５】
こうした点に鑑み、近年では、蝶番Ｃに調整機構を組み込んで、ドア２０の取付け位置を修正できるようにしたものが開発され、広く使用されるようになってきた。
例えば、本出願人が先に出願した蝶番（特開２００１−２２０９３８）は、ドアを上下、左右および前後の三方向に移動させて微調整することができる。
【０００６】
一方、開口枠１０と躯体７０との位置調整に関しても、両者の間隔を調整できる固定金具が開発され、使用されるようになっている（例えば、特許第２９２９００２号や特許第２９６６７９２号に開示の調整金具）。
【０００７】
【発明が解決しようとする課題】
しかしながら、こうした従来のドア取付構造には、次のような問題点がある。
（１）蝶番と固定金具といった二つの別個の部材を必要とするため、取付けが厄介で、その取り扱い（搬送など）も面倒である。
（２）構造が複雑で、調整部分が多いため、調整が厄介である。
ドアを開口枠に取付けるための蝶番と、開口枠を躯体に取付けるための固定金具をそれぞれ別々に取付け、かつそれぞれの調整機構を別々に調整する必要があるため、ドアの建付け調整に多くの時間を要する。すなわち、ドアの建付け時に、まず枠体を固定金具で躯体に取付けてその位置を固定金具の調整機構によって微調整した後、その枠体に蝶番でドアを取付けた後、その蝶番の調整機構によってドアの位置を微調整する必要がある。このとき、蝶番の調整機構によってドアを適正位置に取付けることができない場合は、一旦、ドアを開口枠から取り外して開口枠の躯体に対する位置関係を再度調整し、再びドアを取付ける必要があるなど、調整が厄介となる。
（３）ネジが緩み易く、ドアの取付け姿勢が不安定となり易い。
調整部分が多く、多数のネジを使用しているので、その分、ネジの緩みが発生し易い。特に、ドアを開口枠へ取付ける蝶番は木ねじを使用して行っているので、長期間の開閉による振動により、緩みが発生し易く、その結果、時間の経過と共にドアが傾く等の弊害が発生し易い。
（４）開口枠に高い強度が要求され、高価となる。
開口枠は固定金具によって躯体に取付けられ、また、この開口枠には蝶番によってドアが取付けられるので、これらの取付け姿勢を安定に保つために、開口枠には高い強度が要求される。従って、開口枠は肉厚で重い合板等を使用せざるを得ず、価格も高価となってしまう。
（５）ドア開口部が狭くなる。
開口枠は、高い強度が要求されるために肉厚となり、従って、ドア開口部の幅や高さがそれだけ狭くなってしまう。
【０００８】
そこで、本発明の目的とするところは、ドア等の取付けやそれ自体の取り扱いが容易で、構造が簡単で調整が容易であり、ドアの取付け姿勢が長期にわたって安定し、開口枠を廉価することができ、ドア開口部を狭くすることのないドア取付け金具を提供することにある。
【０００９】
【課題を解決するための手段】
上記の目的を達するために、請求項１に記載の発明は、後端部同士がヒンジ結合された第一プレート（３１）と第二プレート（３２）の先端部にそれぞれ結合された、開口枠（１０）に取付けられる枠側ベース部材（４１）と、ドア（２０）端部に取付けられるドア側ベース部材（４２）とを備え、開口枠（１０）にドア（２０）を回動自在に取付けると共に、前記開口枠（１０）を柱等の躯体（７０）に取付ける金具であって、前記枠側ベース部材（４１）に、開口枠（１０）を貫通し、内周面に雌ネジを有する雌ネジ部（４１ｂ）が設けられ、当該雌ネジ部（４１ｂ）には、開口枠（１０）側である一方端部にレンチ孔（６０ｂ）を有するとともに外周面に雄ネジを有する雄ネジ部材（６０）が螺合され、当該雄ネジ部材（６０）の躯体（７０）側には、躯体（７０）に当接し、雄ネジ部材（６０）の他方端部と回転自在かつ抜け出し不能に組付く受け部材（６１）が設けられ、雄ネジ部材（６０）と受け部材（６１）の中央部には、ネジ孔（６０ａ，６１ａ）が形成されていることを特徴とする。
【００１０】
また、請求項２に記載の発明は、後端部同士がヒンジ結合された第一プレート（３１）と第二プレート（３２）の先端部にそれぞれ結合された、開口枠（１０）に取付けられる枠側ベース部材（４１）と、ドア（２０）端部に取付けられるドア側ベース部材（４２）とを備え、開口枠（１０）にドア（２０）を回動自在に取付けると共に、前記開口枠（１０）を柱等の躯体（７０）に取付ける金具であって、前記第二プレート（３２）は、ドア側ベース部材（４２）に対して分離可能であり、ドア側ベース部材（４２）は、ドア（２０）の厚み方向に左右対称の形状で、ドア（２０）から突出することなくドア（２０）端部に埋設され、しかもドア側ベース部材（４２）にはドア（２０）の厚み方向に貫通し、第二プレート（３２）の先端部をドア（２０）の表側からも裏側からも差込み案内可能なスリット（４４）が形成されるとともに、スリット（４４）に案内された第二プレート（３２）を係止するロック機構が設けられ、前記枠側ベース部材（４１）に、開口枠（１０）を貫通し、内周面に雌ネジを有する雌ネジ部（４１ｂ）が設けられ、当該雌ネジ部（４１ｂ）には、開口枠（１０）側である一方端部にレンチ孔（６０ｂ）を有するとともに外周面に雄ネジを有する雄ネジ部材（６０）が螺合され、当該雄ネジ部材（６０）の躯体（７０）側には、躯体（７０）に当接し、雄ネジ部材（６０）の他方端部と回転自在かつ抜け出し不能に組付く受け部材（６１）が設けられ、雄ネジ部材（６０）と受け部材（６１）の中央部には、ネジ孔（６０ａ，６１ａ）が形成されていることを特徴とする。
【００１１】
さらに、請求項３に記載の発明は、請求項２に記載の発明において、第二プレート（３２）の後端部は、第一プレート（３１）の後端部に対して調整螺子（３６，３７）により上下方向に移動自在に結合され、しかも第一プレート（３１）の先端部は、枠側ベース部材（４１）に形成された第一プレート（３１）の板厚よりも幅広の長孔（４３）に挿入され調整螺子（４７，４９）により長孔（４３）内で第一プレート（３１）の厚み方向に移動自在に結合されるとともに、第一プレート（３１）の先端部は、枠側ベース部材（４１）に対して調整螺子又は調整カム（４５）により接離調整自在に結合されていることを特徴とする。
【００１２】
またさらに、請求項４に記載の発明は、請求項２または３に記載の発明において、第二プレート（３２）の先端部中央には孔（３４）が設けられ、ロック機構は、第二プレート（３２）に当接する間は収縮するが孔（３４）の位置に達すると伸長して孔（３４）を係止する弾性突部（５１，５２）からなり、伸長した弾性突部（５１，５２）を収縮させて係止を解除可能にしたことを特徴とする。
【００１３】
なお、上記の課題を解決するための手段に記載された括弧内の記号は図面及び後述する発明の実施の形態に記載された記号に対応するものである。
【００１４】
請求項１に記載の発明によれば、ヒンジ結合された第一プレートと第二プレートの先端部に、開口枠に取付けられる枠側ベース部材と、ドア端部に取付けられるドア側ベース部材とを備えているので、ドアを開口枠に回動自在に取付けることができる。
【００１５】
また、枠側ベース部材に、開口枠を貫通し、内周面に雌ネジを有する雌ネジ部が設けられ、その雌ネジ部には、開口枠側である一方端部に六角孔を有するとともに外周面に雄ネジを有する雄ネジ部材が螺合され、雄ネジ部材の躯体側には、躯体に当接し、雄ネジ部材の他方端部と回転自在かつ抜け出し不能に組付く受け部材が設けられ、さらに、雄ネジ部材と受け部材の中央部には、ネジ孔が形成されているので、開口枠を柱等の躯体に取付けることができる。
【００１６】
すなわち、請求項１に記載の発明に係るドア取付け金具は、それのみ（単体）によってドアを開口枠に取付けることができると共に、その開口枠を躯体に取付けることができるので、以下の作用効果を発揮する。
【００１７】
（１）ドア取付け金具のみで、ドアと開口枠の取付けができるので、従来と比較して部品点数を減らすことができる。それにより、ドアおよび開口枠の取付け作業が容易であり、また、その部品自体の取り扱いも容易である。
（２）構造が簡単で、調整部材が少ないため、調整が容易である。
従来のように、ドアを開口枠に取付けるための蝶番と、開口枠を躯体に取付けるための固定金具をそれぞれ別々に取付け、かつそれぞれの調整機構を別々に調整する必要がないため、ドアの建付け調整が容易である。
（３）ネジが緩み難く、ドアの取付け姿勢が安定する。
調整部分が少なく、ネジの数も少ないので、その分、ネジの緩みが発生し難い。従って、長期間の開閉による振動によっても緩みが発生し難く、ドアの取付け姿勢が長期にわたって安定する。
（４）開口枠に高い強度が要求されないので、開口枠の低廉化を図ることができる。
ドアを、開口枠ではなく、実質的に躯体で支持するので、開口枠はドアを支える必要がない。従って、肉薄かつ簡易な中空構造のものを使用することができ、低廉なものを使用することができる。
（５）ドア開口部を広くすることができる。
開口枠を肉薄なものとすることができるので、その分、ドア開口部の幅や高さを広くすることができる。
【００１８】
また、請求項２に記載の発明によれば、請求項１に記載の発明の作用効果に加えて、第二プレートとそれに結合された第一プレートそしてその第一プレートに結合された枠側ベース部材から構成される部品が、ドア側ベース部材に対して分離可能で、それらはドア側ベース部材に形成されたスリットに簡単に差し込むだけでワンタッチでドア表側にもドア裏側にも何度でも取付けることができる。よって、いわゆる左吊元用・右吊元用のいずれか現場の要求に簡単にかつ迅速に応じることができる。
【００１９】
また、これにより、第一プレート，第二プレート及び枠側ベース部材からなる部品をドア側ベース部材から取外した状態で梱包することができる。しかも、ドア側ベース部材は、ドアから突出することなくドア端部に埋設されるので搬送時の安定性が良い。
【００２０】
さらに、請求項３に記載の発明によれば、請求項２に記載の発明の作用効果に加えて、調整螺子又は調整カムによって、開口枠に対してドアを上下方向，ドア閉時のドア面に沿った左右方向，及びドア閉時のドア厚み方向にそれぞれ移動させることができるので、取付けの際あるいは取付け後に微調整する場合に有効である。
【００２１】
また、請求項４に記載の発明によれば、請求項２または３に記載の発明の作用効果に加えて、ロック機構は、例えばスプリングバネ，係止片や板バネを利用した弾性突部からなるものであるので構造がシンプルである。また、解除も弾性突部を収縮させるだけでよいので簡単である。
【００２２】
【発明の実施の形態】
本発明の実施形態について図面を参照して説明する。
図１に示すように、開口枠１０は、上下に、本発明に係るドア取付け金具がＨ，Ｈが取付けられた蝶番側縦枠材１１と，ハンドルＬの回動によってドア２０から進退するラッチＲ１を受け入れ可能なラッチ受け具Ｒ２が付けられた、蝶番側縦枠材１１と同長のラッチ受け具側縦枠材１２と，両者の上端部間に挿入、結合された上枠材１３と，より構成される。
【００２３】
ドア取付け金具Ｈは、図２乃至図６に示すように、後端部同士がヒンジ結合された第一プレート３１と第二プレート３２と、それら第一プレート３１と第二プレート３２の先端部にそれぞれ結合された枠側ベース部材４１とドア側ベース部材４２よりなり、それによって、開口枠１０に対してドア２０が回動自在に保持されるよう構成されている。図４に示すように枠側ベース部材４１は開口枠１０に取付けられ、ドア側ベース部材４２はドア２０の端部に取付けられる。
【００２４】
また、枠側ベース部材４１には、開口枠１０を貫通し、内周面に雌ネジを有する短円筒状の雌ネジ部４１ｂが設けられている。この雌ネジ部４１ｂには、開口枠１０側である一方端部に六角孔６０ｂを有するとともに外周面に雄ネジを有する円筒状の雄ネジ部材６０が螺合される。また、当該雄ネジ部材６０の躯体７０側には、躯体７０に当接し、雄ネジ部材６０の他方端部と回転自在かつ抜け出し不能に組付く略平板状の受け部材６１が設けられている。さらに、雄ネジ部材６０と受け部材６１の中央部には、ネジ孔６０ａ，６１ａが形成されている。
【００２５】
このドア取付け金具Ｈの使用状態を、図１および図２に示す。開口枠１０にはドア取付け金具Ｈの枠側ベース部材４１がネジによって固定され、また、当該開口枠１０は、枠側ベース部材４１や固定ネジ６２等によって躯体（柱）７０に取付けられる。この状態で、ドア２０の取付け位置を調整するには、雄ネジ部材６０の六角孔６０ｂに六角レンチを差し込んで当該雄ネジ部材６０を回転させる。このとき、雄ネジ部材６０の端部は受け部材６１に回転自在かつ抜け出し不能に組付けられているので、その位置で円滑に回転する。
【００２６】
雄ネジ部材６０が回転することによって、それに螺合している雌ネジ部４１ｂ（枠側ベース部材４１）が回転し、これに伴い、開口枠１０が躯体７０に対して左または右方向へ移動する。これによって、開口枠１０を微動させ、その取付け位置を容易に調整することができる。
【００２７】
このドア取付け金具Ｈについてさらに詳細に説明する。ドア側ベース部材４２は、ドア２０の厚み方向（表裏方向）に左右対称の形状であり、ドア２０端部に埋設され、ドア２０から突出することなく、複数のねじＮによって固定される。すなわち、その幅（最大の幅）はドア２０の端面の幅に等しく、ドア２０端面から、開口枠１０側に突出しないものである。
【００２８】
また、ドア側ベース部材４２の中央部には、ドア２０の厚み方向に貫通し、第二プレート３２の先端部をドア２０の表側（図５及び図６において右側）からも裏側（図５及び図６において左側）からも差込み案内可能なスリット４４が形成されている。また、そのスリット４４に案内された第二プレート３２を係止するロック機構が設けられている。なお、図示は省略したが第二プレート３２の挿入方向とは逆側のスリット４４に開口部を覆うキャップを装着してもよい。
【００２９】
ロック機構は、スリット４４に挿入された第二プレート３２に当接する間は収縮するが、挿入にしたがって第二プレート３２の先端部中央に設けられた孔３４の位置に達すると伸長して孔３４を係止する弾性突部からなる。弾性突部は、より具体的には、図７，図８に示すようなスプリングバネ５１とそれを介してドア側ベース部材４２の厚み方向に突出する係止片５２から構成される。図７は、スプリングバネ５１が収縮して係止片５２が押し込められた状態を示し、図８は、スプリングバネ５１が伸長して突出した係止片５２で第二プレート３２が係止された状態を示す。
【００３０】
弾性突部は、第二プレート３２のドア２０表側からの挿入，ドア裏側からの挿入に関係なく機能するように、係止片５２の先端外周にはテーパー面が形成されている。なお、弾性突部として、スプリングバネ５１の機能と係止片５２の機能とを一体化した板ばねを使用することもできる。
このように、先端部に枠側ベース部材４１が結合された第二プレート３２とドア側ベース部材４２との結合は、ワンタッチで行うことができる。
【００３１】
またスリット４４を介して係止片５２に相対向するドア側ベース部材４２の位置には孔４６が形成されていて、係止片５２による係止を解除させるには、孔４６にドライバー等の棒状先端部を差し込み係止片５２に当接させ押し込むことにより行われる。すなわち、伸長したスプリングバネ５１は収縮させられ、係止片５２が押し込まれることにより係止が解除される。
【００３２】
第二プレート３２の後端部には、図９に示すように、筒状部３６が設けられている。筒状部３６には切欠き部が設けられたカラー３８が嵌め込まれ、カラー３８が一体化された筒状部３６は、第一プレート３１の後端部の上下に間をあけて設けられた筒状の軸受部３３，３３の間に、鉛直軸３５を介して回動自在に取付けられる。軸受部３３，３３の内側に設けられたねじ部に、鉛直軸３５の上下から高さ調整ねじ３７，３７が螺合されている。調整ねじ３７，３７の内側には鉛直軸３５を受ける凹部３７ａが形成され、その逆の外側には六角ねじが嵌合される孔３７ｂが形成されている。調整ねじ３７は軸受部３３よりも長く、調整ねじ３７を上下方向に移動することにより調整ねじ３７の端部を筒状部３６に当接させ、これにより第二プレート３２の後端部が、第一プレート３１の後端部に対して上下方向に移動自在になるようにされている。その結果、開口枠１０に対するドア２０の上下方向の微調整が可能となる。調整ねじ３７，３７の上下には装飾用キャップ３９，３９が取付けられている。
【００３３】
次に第一プレート３１の先端部は、枠側ベース部材４１に形成された縦長孔４３に挿入されている。そして、図６に示すように、第一プレート３１の先端部上部には枠側ベース部材４１に設けられた調整カム４５が嵌め込まれる間隙部３１ａが設けられ、調整カム４５の回転により枠側ベース部材４１に対する第一プレート３１の位置関係が接近または離間自在にされている。その結果、開口枠１０に対するドア２０の前後方向（ドア２０を閉じた場合のドア２０の厚み方向）の微調整が可能となる。なお、調整カム４５にかえて、例えば第一プレート３１側壁にねじ溝を形成し、その溝に螺合する調整螺子を枠側ベース部材４１に設けるようにしてもよい。
【００３４】
また、第一プレート３１の先端部が挿入される、枠側ベース部材４１に形成された縦長孔４３の幅は、図７，図８に示すように、第一プレート３１の板厚よりも幅広（本実施形態例では第一プレート３１の板厚のおよび２倍とした）に設定され、第一プレート３１が縦長孔４３内で第一プレート３１の厚み方向に移動自在にされている。そして、第一プレート３１の先端部前側は固定ねじ４７により枠側ベース部材４１に固定され、その先端部後側には調整用イモねじ４９が取付けられている。調整用イモねじ４９の調整により、第一プレート３１は固定ねじ４７で固定された部位を支点にして第一プレート３１の厚み方向に移動自在にされている。その結果、開口枠１０に対するドア２０の左右方向（ドア２０を閉じた場合のドア２０の厚み方向及び上下方向にともに直角な方向）の微調整が可能となる。図７は、第一プレート３１が枠側ベース部材４１の内側（図７の上側）に移動してドア２０閉時にはドア２０の端部が枠側ベース部材４１に接近する状態を示し、図８は、第一プレート３１が枠側ベース部材４１の外側（図７の下側）に移動してドア２０閉時にはドア２０の端部が枠側ベース部材４１から離間する状態を示す。
【００３５】
なお、固定ねじ４７を緩めると第一プレート３１の先端部は調整用イモねじ４９が取付けられた状態で上述した調整カム４５の作用により枠側ベース部材４１に接離自在になるように固定ねじ４７が貫通する第一プレート３１の孔３１ｂ及び調整用イモねじ４９が嵌め込まれる枠側ベース部材４１の孔４１ａはともに横長孔にされている。
【００３６】
以上のように構成されたドア取付け金具Ｈによれば、それのみによってドア２０を開口枠１０に取付けることができると共に、その開口枠１０を躯体７０に取付けることができるので、次のような作用効果を発揮する。
（１）ドア取付け金具Ｈのみでドアと開口枠の取付けができるので、取付け作業が容易であり、部品としての取り扱いも容易となる。
（２）構造が簡単で、調整が容易である。
従来のように、ドア２０を開口枠１０に取付けるための蝶番Ｃと、開口枠１０を躯体に取付けるための固定金具Ｋをそれぞれ別々に取付け、かつそれぞれの調整機構を別々に調整する必要がないため、ドア２０の建付け調整が容易である。
（３）ネジが緩み難く、ドア２０の取付け姿勢が安定する。
調整部分が少なく、ネジの数も少ないので、その分、ネジの緩みが発生し難い。従って、長期間の開閉による振動によっても緩みが発生し難く、ドア２０の取付け姿勢が長期にわたって安定する。
（４）開口枠１０に高い強度が要求されないので、開口枠１０の低廉化を図ることができる。
ドア２０を、開口枠１０ではなく、実質的に躯体７０で支持するので、開口枠１０はドア２０の重量を支える必要がない。従って、肉薄かつ簡易な中空構造のものを使用することができ、低廉な開口枠１０を使用することができる。例えば、通常の高級ドア２０の場合、重量が２５〜３５ｋｇ程度であるので、開口枠１０の肉厚は少なくとも３０ｍｍ程度必要であるが、１５ｍｍ程度で充分である。これにより、開口枠１０を廉価なものとすることができる。
（５）ドア開口部を広くすることができる。
開口枠１０を肉薄なものとすることができるので、その分、ドア開口部の幅や高さを広くすることができる。開口枠１０の肉厚を３０ｍｍから１５ｍｍにすれば、開口枠１０の幅を３０ｍｍ広くすることができる。
【００３７】
さらに、本発明の実施形態に係るドア取付け金具Ｈは、以下の作用効果を発揮する。すなわち、枠側ベース部材４１が結合された第一プレート３１とそれにヒンジ結合された第二プレート３２からなるものは、ドア側ベース部材４２に対して分離型であり、ドア２０の表側からも裏側からも容易に取付けることができるので、現場の要求が左吊元用・右吊元用いずれであっても、その要求に迅速に対応可能である。この場合には所定位置で枠側ベース部材４１を開口枠１０にねじＮ止めすればよい。
【００３８】
また、梱包時にドア２０にはドア側ベース部材４２だけが埋設されドア表側又は裏側に突出部はないので梱包は簡単であり、特に緩衝材等を必要としない。
【００３９】
【発明の効果】
以上のとおり、請求項１に記載の発明に係るドア取付け金具は、それのみによってドアを開口枠に取付けることができると共に、その開口枠を躯体に取付けることができるので、次の作用効果を発揮する。（１）ドアと開口枠の取付けが容易であり、ドア取付け金具の取り扱いが容易である。（２）構造が簡単で、調整部分が少ないので、調整が容易である。（３）ネジが緩み難く、ドアの取付け姿勢が安定する。（４）開口枠に高い強度が要求されないので、開口枠の低廉化を図ることができる。（５）ドア開口部を広くすることができる。
【００４０】
また、請求項２に記載の発明によれば、請求項１に記載の発明の作用効果に加えて、第一プレート，第二プレート及び枠側ベース部材からなる部品は、ドア側ベース部材に対して分離可能で、それらはドア側ベース部材に形成されたスリットに簡単に差し込むだけでワンタッチでドア表側にもドア裏側にも何度でも取付けることができるので、左吊元用・右吊元用のいずれか現場の要求に簡単にかつ迅速に応じることができる。また、ドア表側からドア裏側、あるいはその逆に移動させる場合に、従来のように木ネジ等を外したり取付けることは不要であるので、施工が簡単で、しかも木ネジ等の保持力の低下等のデメリットを考慮する必要はない。
【００４１】
これにより、第一プレート，第二プレート及び枠側ベース部材からなる部品をドア側ベース部材から取外した状態で梱包することができるので、搬送時に外部からの衝撃で変形破損するおそれはなく、搬送時の安定性が良い。しかも余分な緩衝材を必要としないのでコストの低廉が図れる。しかも、ドア側ベース部材は、ドアから突出することなくドア端部に埋設されるので、搬送時の安定性はより良い。
【００４２】
さらに、上下抜き差し式の蝶番の場合、ドアを一旦持ち上げて開口枠側の鉛直軸に鉛直軸筒を落とし込むようにして取り付けるので、ドア上部にはこの鉛直軸の長さ以上の空間が必要で、最低１０ｃｍ程度の空間が無いとドアの取り付けができず、周囲の状況によっては取り付けが困難となってしまうが、本発明によれば、枠側ベース部材に結合された第一プレートにヒンジ結合された第二プレートをドア側ベース部材に水平に挿入するだけでよいので、ドア周囲に障害物があったり、ドア上部に殆ど空間がない場合にでも対応できる。
【００４３】
また、請求項３に記載の発明によれば、請求項２に記載の発明の作用効果に加えて、調整螺子又は調整カムによって、開口枠に対してドアを上下方向，ドア閉時のドア面に沿った左右方向，及びドア閉時のドア厚み方向にそれぞれ移動させることができるので、取付けの際あるいは取付け後に微調整する場合に有効である。
【００４４】
さらに、請求項４に記載の発明によれば、請求項２または３に記載の発明の作用効果に加えて、ロック機構は、例えばスプリングバネ，係止片や板バネを利用した弾性突部からなるものであるので構造がシンプルである。また、解除も弾性突部を収縮させるだけでよいので簡単である。
【図面の簡単な説明】
【図１】ドアの正面図である。
【図２】本発明の実施形態例を示すもので、図１のＹ部における断面図である。
【図３】本発明の実施形態例を示す斜視図である。
【図４】本発明の実施形態例が取付けられた状態を示す斜視図である。
【図５】本発明の実施形態例のドア側ベース部に第二プレートが挿入される前の状態を示す正面図である。
【図６】本発明の実施形態例のドア側ベース部に第二プレートが挿入された状態を示す正面図である。
【図７】本発明の実施形態例のドア側ベース部に第二プレートが係止される前の状態を示す、図６のＡ−Ａ断面図である。
【図８】本発明の実施形態例のドア側ベース部に第二プレートが係止された状態を示す、図６のＡ−Ａ断面図である。
【図９】本発明の実施形態例の第一プレートと第二プレートとのヒンジ結合部の構成を示す分解斜視図である。
【図１０】従来例を示すもので、図１のＹ部における断面図である。
【符号の説明】
１０　　　開口枠
１１　　　蝶番側縦枠材
１２　　　ラッチ受け具側縦枠材
１３　　　上枠材
２０　　　ドア
３１　　　第一プレート
３１ａ　　間隙部
３１ｂ　　孔
３２　　　第二プレート
３３　　　軸受部
３４　　　孔
３５　　　鉛直軸
３６　　　筒状部
３７　　　調整ねじ
３７ａ　　凹部
３７ｂ　　孔
３８　　　カラー
３９　　　キャップ
４１　　　枠側ベース部材
４１ａ　　孔
４１ｂ　　雌ネジ部
４２　　　ドア側ベース部材
４３　　　縦長孔
４４　　　スリット
４５　　　調整カム
４６　　　孔
４７　　　固定ねじ
４９　　　調整用イモねじ
５１　　　スプリングバネ
５２　　　係止片
６０　　　雄ネジ部材
６０ａ　　ネジ孔
６０ｂ　　六角孔
６１　　　受け部材
６１ａ　　ネジ孔
６２　　　固定ネジ
７０　　　躯体
Ｃ　　　蝶番
Ｈ　　　ドア取付け金具
Ｋ　　　固定金具
Ｌ　　　ハンドル
Ｎ　　　ねじ
Ｒ１　　ラッチ
Ｒ２　　ラッチ受け具
【図１】
2004044111.tif 000003
【図２】
2004044111.tif 000004
【図３】
2004044111.tif 000005
【図４】
2004044111.tif 000006
【図５】
2004044111.tif 000007
【図６】
2004044111.tif 000008
【図７】
2004044111.tif 000009
【図８】
2004044111.tif 000010
【図９】
2004044111.tif 000011
【図１０】
2004044111.tif 000012